(57)【要約】【課題】吹出口に設けられるガードワイヤを容易に、且つ正確に取付できるようにした空気調和機を提供する。【解決手段】本体１に形成された吸込口２と吹出口３とを結ぶ空気通路に、熱交換器４と送風ファン５とを設け、前記吹出口３上面の長手方向に、複数の挿通孔６を備えた左右風向偏向板群７の支軸を回動自在に軸支した支軸部８を有するフロントギャップ９を接合すると共に、前記吹出口３に、前記複数の挿通孔６を挿通したガードワイヤ１０が設けられてなり、前記ガードワイヤ１０は、同ガードワイヤ１０の両端部に対応する保持部を備え、前記フロントギャップ９の両側部に形成された保持リブにより保持されるようにした。【選択図】　図１
2004020065.tif 000002
【特許請求の範囲】
【請求項１】
本体に形成された吸込口と吹出口とを結ぶ空気通路に、熱交換器と送風ファンとを設け、前記吹出口上面の長手方向に、複数の挿通孔を備えた左右風向偏向板群の支軸を回動自在に軸支したフロントギャップを接合すると共に、前記吹出口に、前記複数の挿通孔を挿通したガードワイヤが設けられてなり、
前記ガードワイヤは、同ガードワイヤの両端部に対応する保持部を備え、前記フロントギャップの両側部に形成された保持リブにより保持されるようにしたことを特徴とする空気調和機。
【請求項２】
前記保持部は、一方が、前記ガードワイヤの一端を長手方向に挿脱可能に収容する収容孔からなり、他方が、少なくとも一側を開放して前記ガードワイヤを線径方向に挿脱可能に収容する収容溝からなり、同収容溝の開放端近傍に、前記ガードワイヤに係脱可能に係止する係止爪を設けてなることを特徴とする請求項１に記載の空気調和機。
【請求項３】
前記保持部は、少なくとも一側を開放して前記ガードワイヤを線径方向に挿脱可能に収容する収容溝からなり、同収容溝の開放端近傍に、前記ガードワイヤに係脱可能に係止する係止爪を設けてなることを特徴とする請求項１に記載の空気調和機。
【請求項４】
前記フロントギャップの中央部に、前記ガードワイヤの中央部を保持する保持孔を備えた補助リブを立設してなることを特徴とする請求項１に記載の空気調和機。
【発明の詳細な説明】
【０００１】
【発明の属する技術分野】
本発明は、空気調和機に係わり、より詳細には、吹出口に設けられるガードワイヤを容易に、且つ正確に組付できるようにした構造に関する。
【０００２】
【従来の技術】
従来の壁掛式の空気調和機は、例えば特願平８−２２６６９８号によって示されているように、吹出ノズルにファンガードを取り付けるのを容易にするため、吹出ノズルの側板にファンガードの横桟の端部が保持される取付穴を設け、吹出ノズルの上枠および下枠を連結する縦リブには上下風向偏向調整ベーンの支持装置を固定し、この支持装置の後部にはファンガードの横桟を保持する保持用を設け、上枠および下枠の間には横桟を保持する凹部を形成したファンガード固定具を取り付けるようにした構成が開示されていた。
【０００３】
上記の構成で、前記ファンガードを前記吹出ノズルに組み付けるには、前記ファンガードを前記吹出ノズルの背面側すなわち室内循環空気の風上側から吹出口に挿入し、縦リブに固定されている支持装置の後部に形成した延出部および保持用スリットならびにファンガード固定具の凹部により横桟を保持し、同横桟の端部は組付穴に嵌入することによってファンガードは前記吹出ノズルに保持できるようになっていた。
【０００４】
しかしながら、前記吹出ノズルが、室内循環空気の吹出口を有して、合成樹脂により一体成形された上枠、下枠および側板からなる大きな部品であることから組付時の作業台を広く占有してしまう構成になっており、これを作業台でセッティングするのに困難が伴うのと同時に、左右風向調整ベーンや前記ファンガードを組み付けるための作業性が悪いという問題点を有していた。
【０００５】
【発明が解決しようとする課題】
本発明は、上記問題点に鑑み、吹出口に設けられるガードワイヤを容易に、且つ正確に組付できるようにした空気調和機を提供することを目的とする。
【０００６】
【課題を解決するための手段】
本発明は、上記課題を解決するため、本体に形成された吸込口と吹出口とを結ぶ空気通路に、熱交換器と送風ファンとを設け、前記吹出口上面の長手方向に、複数の挿通孔を備えた左右風向偏向板群の支軸を回動自在に軸支したフロントギャップを接合すると共に、前記吹出口に、前記複数の挿通孔を挿通したガードワイヤが設けられてなり、
前記ガードワイヤは、同ガードワイヤの両端部に対応する保持部を備え、前記フロントギャップの両側部に形成された保持リブにより保持されるようにした構成となっている。
【０００７】
また、前記保持部は、一方が、前記ガードワイヤの一端を長手方向に挿脱可能に収容する収容孔からなり、他方が、少なくとも一側を開放して前記ガードワイヤを線径方向に挿脱可能に収容する収容溝からなり、同収容溝の開放端近傍に、前記ガードワイヤに係脱可能に係止する係止爪を設けた構成となっている。
【０００８】
また、前記保持部は、少なくとも一側を開放して前記ガードワイヤを線径方向に挿脱可能に収容する収容溝からなり、同収容溝の開放端近傍に、前記ガードワイヤに係脱可能に係止する係止爪を設けた構成となっている。
【０００９】
更に、前記フロントギャップの中央部に、前記ガードワイヤの中央部を保持する保持孔を備えた補助リブを立設した構成となっている。
【００１０】
【発明の実施の形態】
以下、本発明の実施の形態を図面に基づいた実施例として詳細に説明する。
図１は本発明による空気調和機の断面図であり、図２は本発明による空気調和機の説明図で、（Ａ）は要部分解斜視図、（Ｂ）は（Ａ）で示すＡーＡ断面図、（Ｃ）は要部断面図である。
【００１１】
本発明による空気調和機は、図１と、図２（Ａ）乃至図２（Ｃ）とで示すように、本体１の上部には吸込口２が設けられ、下部には吹出口３が設けられ、これら吸込口２と吹出口３とを結ぶ空気通路には、逆Ｖ字状に形成された熱交換器４と、送風ファン５とが設けられている。
【００１２】
前記送風ファン５により、前記吸込口２から吸い込まれエアフィルタを通過した空気は、前記熱交換器４により熱交換されて前記吹出口３に送出されるようになっている。
【００１３】
前記吹出口３上面の長手方向には、複数の挿通孔６を備えた左右風向偏向板群７の支軸７ａを回動自在に軸支する支軸部８を備えた樹脂成形品からなるフロントギャップ９が接合されると共に、前記吹出口３には、前記複数の挿通孔６を挿通したガードワイヤ１０が設けられている。
【００１４】
前記フロントギャップ９は、図１で示すように、前記送風ファン５を収容したファンケーシングの一部を構成し、且つ前記左右風向偏向板群７の支軸７ａを軸支する複数の支軸部８を左右に備えて、前記吹出口３の上面後部を構成するように断面略Ｖ字状に形成されており、前記左右風向偏向板群７を組み付けることによりユニット化した状態で前記吹出口３上面の長手方向に接合されるようになっている。
【００１５】
すなわち、前記左右風向偏向板群７は、その支軸７ａが前記フロントギャップ９の支軸部８で回動自在に軸支されるように構成されているため、前記左右風向偏向板群７を組み付けたのち、前記ガードワイヤ１０を組み付ける前記フロントギャップ９が、上記に説明した従来技術における吹出ノズルのような大きい部品にならないので、組付時の作業台を広く占有してしまうということがなくなり、同作業台上でセッティングするのが容易になる。
【００１６】
そして、前記ガードワイヤ１０は、前記フロントギャップ９に設けられ、前記ガードワイヤ１０の両端部に対応する保持部１１を備えた保持リブ１２と、中央部に対応する保持孔１３’　を備えた補助リブ１２’　とで正確に保持されるようにした構成となっている。
【００１７】
以上の構成により、次にその動作について説明する。
前記ガードワイヤ１０は、前記フロントギャップ９の保持リブ１２に設けた前記保持部１１と、補助リブ１２’　に設けた前記保持孔１３’　とで保持されることになり、そして、前記フロントギャップ９は上記従来技術における吹出ノズルのようには大きくないので、上記説明のとおり、組付時の作業台を広く占有してしまうということがなくなってセッティングしやすくなる。
【００１８】
また、前記フロントギャップ９は、前記左右風向偏向板群７の支軸７ａを回動自在に軸支し、前記ガードワイヤ１０を保持してこれらをユニット化したのち、前記吹出口３上面の長手方向に接合されるようになっている。
【００１９】
つまり、前記左右風向偏向板群７の組付をしたのち、前記ガードワイヤ１０の組付をし、次に、これら左右風向偏向板群７およびガードワイヤ１０の組付をした前記フロントギャップ９を前記吹出口３の上面に接合する手順になっていることから、順次、無理なく組付ができるようになって作業性は良好になる。
【００２０】
なお、前記ガードワイヤ１０が設けられたことにより、前記吹出口３から前記送風ファン５に向けて手指や物品などを挿入することができないようになって、手指に怪我を負ってしまったり前記送風ファン５が損傷してしまうといったことがなくなる。
【００２１】
また、前記フロントギャップ９の両側部に形成された前記保持部１１は、一方が、図２（Ｃ）で示すように前記ガードワイヤ１０の一端を長手方向に挿脱可能に収容する収容孔１３からなり、他方が、図２（Ｂ）で示すように少なくとも一側を開放して前記ガードワイヤ１０を線径方向に挿脱可能に収容する収容溝１４からなり、同収容溝１４の開放端近傍に、前記ガードワイヤ１０に係脱可能に係止する係止爪１５を設けたことにより、前記ガードワイヤ１０を容易に収容し保持できるようになっている。
【００２２】
または、前記フロントギャップ９の両側部に形成された前記保持部１１は、図２（Ｂ）で示すように、少なくとも一側を開放して前記ガードワイヤ１０を線径方向に挿脱可能に収容する収容溝１４からなり、同収容溝１４の開放端近傍に、前記ガードワイヤ１０に係脱可能に係止する係止爪１５を設けたことにより、前記収容孔１３に一端を収容する場合と同様に、前記ガードワイヤ１０を容易に収容し保持できるようになっている。
【００２３】
これらにより、前記フロントギャップ９で前記ガードワイヤ１０を保持する際、同ガードワイヤ１０の両端部を前記収容孔１３および前記収容溝１４に収容し、または前記収容溝１４同士に収容することによって容易に、且つ正確に保持できるようになると共に、前記ガードワイヤ１０の長手方向の中央部が撓んでしまわないよう前記保持孔１３’　で効果的に保持できるので、前記ガードワイヤ１０が、前記左右風向偏向板群７に設けられた複数の挿通孔６を円滑に挿通できるようになる。
【００２４】
【発明の効果】
以上説明したように、本発明によると、従来の吹出ノズルよりも小型化されたフロントギャップに、左右風向偏向板群およびガードワイヤを容易に、且つ正確に組付できるようにした空気調和機となる。
【図面の簡単な説明】
【図１】本発明による空気調和機の断面図である。
【図２】本発明による空気調和機の説明図で、（Ａ）は要部分解斜視図であり、（Ｂ）は（Ａ）で示すＡーＡ断面図であり、（Ｃ）は要部断面図である。
【符号の説明】
１　空気調和機本体
２　吸込口
３　吹出口
４　熱交換器
５　送風ファン
６　挿通孔
７　左右風向偏向板群
７ａ　支軸
８　支軸部
９　フロントギャップ
１０　ガードワイヤ
１１　保持部
１２　保持リブ
１２’　補助リブ
１３　　収容孔
１３’　保持孔
１４　収容溝
１５　係止爪
【図１】
2004020065.tif 000003
【図２】
2004020065.tif 000004